【手続補正書】
【提出日】平成16年7月29日(2004.7.29)
【手続補正１】
【補正対象書類名】明細書
【補正対象項目名】特許請求の範囲
【補正方法】変更
【補正の内容】
【特許請求の範囲】
【請求項１】
上位処理装置と、前記上位処理装置に通信手段を介して接続され前記上位処理装置から送られてくるデータを記憶管理する記憶制御装置と、を備えて構成されるデータ処理システムであって、
前記上位処理装置および前記記憶制御装置は、前記記憶制御装置の実記憶領域に対するデータのＩ／Ｏ処理に際し、前記実記憶領域に対応づけた論理デバイスにより前記処理対象となる実記憶領域を特定し、
前記上位処理装置は、前記記憶制御装置に対するＩ／Ｏ要求を処理する複数の制御ブロックを備え、ある前記論理デバイスであるベースデバイスに対するＩ／Ｏ要求が発生した場合には前記ベースデバイスに対応づけられている制御ブロックであるベース制御ブロックにより前記Ｉ／Ｏ要求についての処理を実行させ、他方、前記ベース制御ブロックが使用中である場合には、当該論理デバイスに割り当てられた他の論理デバイスであるエイリアスデバイスの制御ブロックであるエイリアス制御ブロックによりその処理を実行させる手段を備え、
前記記憶制御装置は、ある前記論理デバイスに対するＩ／Ｏ要求の処理に際し、当該記憶制御装置内の構成要素の状況に応じてその論理デバイスについての前記ベースデバイスに新たにエイリアスデバイスを割り当てる必要が有るかどうかを判断する手段と、前記判断により必要有りと判断した場合にその旨を前記通信手段を介して前記上位処理装置に通知する手段とを備え、
前記上位処理装置は、前記記憶制御装置から前記通知があった場合に、前記ベースデバイスに新たにエイリアスデバイスが割り当てられたことを認知する手段を備えること
を特徴とするデータ処理システム。
【請求項２】
請求項１に記載のデータ処理システムであって、
前記論理デバイスには当該論理デバイス上に定義された記憶領域である複数のエクステントが含まれており、
ある前記論理デバイスについてのＩ／Ｏ要求の処理に際して行われる前記判断手段が、その論理デバイスの全ての前記エクステントに対するアクセス頻度の平均値が一定値よりも高い場合に、その論理デバイスについての前記ベースデバイスに新たに前記エイリアスデバイスを割り当てる必要が有ると判断する手段であること
を特徴とするデータ処理システム。
【請求項３】
請求項１に記載のデータ処理システムであって、
前記実記憶領域がディスクユニットにより提供され、
ある論理デバイスについてのＩ／Ｏ要求の処理に際して行われる前記判断手段が、その論理デバイスの実記憶領域を提供するディスクユニットが所属するＲＡＩＤグループ内の各ディスクユニットに対する使用率の平均値が一定値よりも小さい場合に、その論理デバイスについての前記ベースデバイスに新たに前記エイリアスデバイスを割り当てる必要が有ると判断する手段であること
を特徴とするデータ処理システム。
【請求項４】
請求項１に記載のデータ処理システムであって、
前記記憶制御装置は、前記論理デバイスのベースデバイスに新たな前記エイリアスデバイスを割り当てる必要が有ると判断した場合に、既存のエイリアスデバイスのうち使用率が最小であるものを選出し、そのエイリアスデバイスを特定する情報である特定情報を前記通信手段を介して前記上位処理装置に通知する手段を備え、
前記上位処理装置は、通知されてきた前記特定情報に基づいて、前記ベースデバイスに前記特定情報により指定されるエイリアスデバイスが割り当てられたことを認知する手段を備えること
を特徴とするデータ処理システム。
【請求項５】
請求項１に記載の前記データ処理システムに用いられる前記記憶制御装置であって、
ある前記論理デバイスに対するＩ／Ｏ要求の処理に際し、前記記憶制御装置内の構成要素の状況に応じてその論理デバイスについてのベースデバイスに新たにエイリアスデバイスを割り当てる必要が有るかどうかを判断する前記手段と、前記判断により必要有りと判断した場合にその旨を前記通信手段を介して前記上位処理装置に通知する前記手段と、を有すること
を特徴とする記憶制御装置。
【請求項６】
請求項２に記載の前記データ処理システムに用いられる前記記憶制御装置であって、
その論理デバイスの全ての前記エクステントに対するアクセス頻度の平均値が一定値よりも高い場合に、その論理デバイスについての前記ベースデバイスに新たに前記エイリアスデバイスを割り当てる必要が有ると判断する前記手段を有すること
を特徴とする記憶制御装置。
【請求項７】
請求項３に記載の前記データ処理システムに用いられる前記記憶制御装置であって、
その論理デバイスの実記憶領域を提供するディスクユニットが所属するＲＡＩＤグループ内の各ディスクユニットに対する使用率の平均値が一定値よりも小さい場合に、その論理デバイスについての前記ベースデバイスに新たに前記エイリアスデバイスを割り当てる必要が有ると判断する前記手段を有すること
を特徴とする記憶制御装置。
【請求項８】
請求項４に記載の前記データ処理システムに用いられる前記記憶制御装置であって、
前記論理デバイスのベースデバイスに新たな前記エイリアスデバイスを割り当てる必要が有ると判断した場合に、既存のエイリアスデバイスのうち使用率が最小のものを選出し、そのエイリアスデバイスを特定する情報である特定情報を前記通信手段を介して前記上位処理装置に通知する前記手段を有すること
を特徴とする記憶制御装置。
【請求項９】
ＣＰＵ、メモリ、ディスクアレイ装置に対するＩ／Ｏ要求を処理する複数の制御ブロック、データ転送等の入出力制御を行うチャネルインタフェースを備える上位処理装置と、
前記上位処理装置とＬＡＮやＳＡＮなどの通信手段を介して接続され、前記上位処理装置から送られてくるデータを記憶管理するための実記憶領域を提供するディスクユニットが実装され、ＣＰＵ、メモリ、及び前記ディスクユニットへのデータの読み出し／書き込み時に利用されるキャッシュメモリを有する前記ディスクアレイ装置と、
を備えるデータ処理システムであって、
前記上位処理装置及び前記ディスクアレイ装置は、前記ディスクアレイ装置の前記実記憶領域に対するデータのＩ／Ｏ処理に際し、前記実記憶領域に対応づけられている論理デバイスにより前記処理対象となる実記憶領域を特定し、
前記上位処理装置は、ある前記論理デバイスであるベースデバイスに対するＩ／Ｏ要求が発生した場合はそのベースデバイスに対応づけられている前記制御ブロックであるベース制御ブロックによりそのＩ／Ｏ要求についての処理を実行させ、前記ベース制御ブロックが使用中である場合には、当該論理デバイスに割り当てられている他の論理デバイスであるエイリアスデバイスの前記制御ブロックであるエイリアス制御ブロックによりその処理を実行させる手段を有し、
前記ディスクアレイ装置は、ある前記論理デバイスに対するＩ／Ｏ要求の処理に際し、前記ディスクアレイ装置内の構成要素の状況に応じてその論理デバイスについての前記ベースデバイスに新たにエイリアスデバイスを割り当てる必要が有るかどうかを判断する手段と、前記判断により新たにエイリアスデバイスを割り当てる必要が有ると判断した場合にその旨を前記通信手段を介して前記上位処理装置に通知する手段と、を有し、
前記上位処理装置は、前記ディスクアレイ装置から前記通知があった場合に前記ベースデバイスに新たにエイリアスデバイスが割り当てられたことを認知する手段を備えること
を特徴とするデータ処理システム。
【手続補正２】
【補正対象書類名】図面
【補正対象項目名】図３
【補正方法】変更
【補正の内容】
【図３】
2003099301.tif 000001